(57)【要約】【課題】例えば車両の移動により視聴中の放送が受信できなくなったときに、現在位置で受信可能な放送局のうちユーザの好みに応じた放送局を提示する「放送受信装置」を提供する。【解決手段】制御部１１は、一定時間以上視聴した放送局の情報を、車載用ナビゲーション装置２から取得した現在位置の情報と関連付けて受信履歴記憶部１８に記憶しておく。また、制御部１１は、車両の移動等により放送が受信できなくなると、車載用ナビゲーション装置２から現在位置の情報を取得し、サービスエリア記憶部１７に記憶されている放送局毎のサービスエリアの情報を基に現在位置で受信可能な放送局を探索し、それらの放送局のうち受信履歴記憶部１８に受信履歴が記憶されている放送局を抽出して、表示部１５に受信推奨局として表示する。【選択図】図１
2005328451.tif 000002
【特許請求の範囲】
【請求項１】
表示部と、
放送局からの放送を受信するチューナ部と、
現在位置の情報を取得する位置情報取得手段と、
放送局毎のサービスエリアの情報を取得するサービスエリア取得手段と、
視聴した放送局の情報を前記位置情報取得手段で取得した位置情報に関連付けて記憶する受信履歴記憶部と、
前記表示部、前記チューナ部及び前記受信履歴記憶部を制御する制御部とを有し、
前記制御部は、それまで受信していた放送が受信できなくなると、前記位置情報取得手段により取得した現在位置情報と前記サービスエリア取得手段で取得した放送局毎のサービスエリアの情報とを基に、現在位置で視聴可能な放送局のうち前記受信履歴記憶部に記憶されている放送局を抽出して前記表示部に表示することを特徴とする放送受信装置。
【請求項２】
前記制御部は、前記チューナ部で一定時間以上同じ放送局の放送を受信したときに、前記受信履歴記憶部に当該放送局の受信履歴を記憶することを特徴とする請求項１に記載の放送受信装置。
【請求項３】
前記制御部は、前記受信履歴記憶部に受信履歴を記憶する際に、放送局毎に視聴時間をを記憶することを特徴とする請求項２に記載の放送受信装置。
【請求項４】
前記制御部は、前記表示部に表示した現在位置で視聴可能な放送局のうちユーザにより指定された放送局からの放送を受信するように前記チューナ部を制御することを特徴とする請求項１に記載の放送受信装置。
【請求項５】
前記位置情報取得手段は、車載用ナビゲーション装置から現在位置の情報を取得することを特徴とする請求項１に記載の放送受信装置。
【請求項６】
前記サービスエリア取得手段として、放送局毎のサービスエリアを記憶したサービスエリア記憶部を有することを特徴とする請求項１に記載の放送受信装置。
【発明の詳細な説明】
【技術分野】
【０００１】
本発明は、ラジオ放送やテレビ放送を受信する放送受信装置に関し、特に車両に搭載されるラジオ受信機及びテレビ受信機として好適な放送受信装置に関する。
【背景技術】
【０００２】
通常、車両にはＡＭ／ＦＭラジオ受信機が搭載されており、ラジオ放送を聴きながらドライブをすることができる。また、近年、ＴＶ（テレビ）受信機を搭載し、車両が走行中であっても後部座席の乗員がＴＶ番組を視聴できるようにした車両も多くなってきている。しかしながら、車両が放送局のサービスエリアから外れてしまうと、今まで視聴していた放送を受信することができなくなって、新たに好みの放送局を探すことが必要になる。この場合、例えば好みの放送局からの放送を受信できるまでラジオ受信機に設けられている選局ボタン（シークアップボタン又はシークダウンボタン）を押して受信周波数を変更している。しかし、長距離をドライブする場合には、この操作を何度も繰り返すことが必要なこともあり、煩雑である。特に、都市部では視聴可能な放送局が多く存在するため、ユーザは好みの放送局からの放送を受信できるまで何度も選局ボタンを押さなければならないことがある。
【０００３】
受信可能な放送局をプリセットボタンに自動的に設定する放送受信装置も提案されている。この種の放送受信装置では、プリセットボタンを押すだけで受信周波数を簡単に切替えることができる。例えば、特開平５−１４５８６４号公報（特許文献１）には、チャンネルを順番にスキャンしてＴＶ放送を受信可能なチャンネルを検出し、ＲＯＭに予め登録されている地域毎の受信データと比較して現在の地域を特定し、受信チャンネルをプリセットするＴＶ放送受信装置が記載されている。また、特開２００２−３４４２９１号公報（特許文献２）にも、チャンネルを順番にスキャンして現在位置でＴＶ放送を受信可能なチャンネルを検出し、プリセットするＴＶ放送受信装置が記載されている。
【特許文献１】特開平５−１４５８６４号公報
【特許文献２】特開２００２−３４４２９１号公報
【発明の開示】
【発明が解決しようとする課題】
【０００４】
しかしながら、上述した従来の放送受信装置では、現在視聴中の放送局のサービスエリアから車両が外れて放送が受信できなくなったときに、ユーザの好みの放送局からの放送を受信するまで時間がかかることがあり、利便性に難点がある。特開平５−１４５８６４号公報及び特開２００２−３４４２９１号公報に記載されているように、受信可能な放送局を自動的に検出してプリセットすることも可能であるが、プリセットが完了するまでに時間がかかるだけでなく、ユーザの好みの放送局のみがプリセットされるわけではないので、プリセットされた放送局のうちからユーザ自身が好みの放送局を探す必要がある。
【０００５】
以上から、本発明の目的は、視聴中の放送が受信できなくなったときに、現在位置で受信可能な放送局のうちユーザの好みに応じた放送局を提示する放送受信装置を提供することである。
【課題を解決するための手段】
【０００６】
上記した課題は、表示部と、放送局からの放送を受信するチューナ部と、現在位置の情報を取得する位置情報取得手段と、放送局毎のサービスエリアの情報を取得するサービスエリア取得手段と、視聴した放送局の情報を前記位置情報取得手段で取得した位置情報に関連付けて記憶する受信履歴記憶部と、前記表示部、前記チューナ部及び前記受信履歴記憶部を制御する制御部とを有し、前記制御部は、それまで受信していた放送が受信できなくなると、前記位置情報取得手段により取得した現在位置情報と前記サービスエリア取得手段で取得した放送局毎のサービスエリアの情報とを基に、現在位置で視聴可能な放送局のうち前記受信履歴記憶部に記憶されている放送局を抽出して前記表示部に表示することを特徴とする放送受信装置により解決する。
【０００７】
本発明においては、例えば一定時間以上同じ放送局の放送を受信すると、制御部は当該放送局の情報（放送局名又は放送周波数等）を、位置情報取得手段で取得した位置情報に関連付けて受信履歴記憶部に記憶する。そして、制御部は、それまで受信していた放送が受信できなくなると、位置情報取得手段により取得した現在位置情報とサービスエリア取得手段で取得した放送局毎のサービスエリアの情報とを基に、現在位置で視聴可能な放送局のうち受信履歴記憶部に記憶されている放送局を抽出して表示部に表示する。受信履歴のある放送局は、ユーザの好みの番組を放送している放送局ということができる。従って、本発明の放送受信装置によれば、現在位置で受信可能な放送局のうちユーザの好みに合った放送局が表示部に表示されることになる。
【発明を実施するための最良の形態】
【０００８】
以下、本発明の実施形態について、添付の図面を参照して説明する。
【０００９】
（第１の実施形態）
図１は、本発明の第１の実施形態に係る放送受信装置の構成を示すブロック図である。本実施形態は、本発明を車載用ラジオ受信機に適用した例について説明している。
【００１０】
本実施形態の放送受信装置１は、制御部１１と、チューナ部１２と、アンプ１３と、スピーカー１４と、表示部１５と、操作部１６と、サービスエリア記憶部１７と、受信履歴記憶部１８とにより構成されており、ケーブルを介して車載用ナビゲーション装置２と接続されるようになっている。
【００１１】
チューナ部１２は、制御部１１からの信号に応じた周波数のラジオ放送信号を受信し、中間周波増幅及び検波を行ってオーディオ信号を出力する。アンプ１３は、チューナ部１２から出力されたオーディオ信号を増幅してスピーカー１４を駆動する。
【００１２】
表示部１５は例えば液晶パネルにより構成されており、制御部１１からの信号に応じて現在聴取中のラジオ放送局名や受信周波数などを表示する。
【００１３】
操作部１６には、当該ラジオ受信機を操作するための種々のボタン等が設けられている。図２は、本実施形態のラジオ受信機のフロントパネルの一例を示す図である。この図２に示すように、本実施形態の放送受信装置１のフロントパネルには、表示部１５が配置されているとともに、操作部１６を構成する選局ボタン（シークアップボタン３３及びシークダウンボタン３４）と、ロータリーエンコーダ３５と、「決定」ボタン３６とが設けられている。なお、実際の放送受信装置１には、ＡＭ／ＦＭ切替ボタン、音量調整ボタン及びプリセットボタン等が設けられているが、ここではそれらの説明を省略する。
【００１４】
サービスエリア記憶部１７には各地の放送局のサービスエリアが記憶されている。本実施形態においては、放送局のサービスエリアはその放送局の放送が聴取可能な市区町村等の行政区画名を示すデータの集合により構成されている。受信履歴記憶部１８は、後述するように制御部１１により書き込まれた放送受信履歴を記憶する。
【００１５】
図３は本実施形態の放送受信装置１に接続される車載用ナビゲーション装置を示すブロック図である。車載用ナビゲーション装置２は、地図データを記憶した地図データ記憶部２１と、車両の現在位置の緯度・経度を検出する車両位置検出部２２と、地図表示が可能な液晶パネル等により構成された表示部２３と、それらを制御する制御部２４とにより構成されている。
【００１６】
地図データ記憶部２１には、地図データを記憶する記憶媒体としてＤＶＤ（Digital Versatile Disk）又はＨＤＤ（Hard Disk Drive）が設けられている。また、車両位置検出部２２は、ＧＰＳ（Global Positioning System ）衛星から送られてくるＧＰＳ信号を受信するＧＰＳ受信機と、車両の回転角度を検出するジャイロと、車両の速度又は走行距離を検出するセンサとにより構成されている。
【００１７】
制御部２４はマイクロコンピュータにより構成されており、予め設定されたプログラムに従って種々の処理を実行する。例えば、制御部２４は、車両位置検出部２２で検出した車両位置に基づいて車両の現在位置を含む地域の地図データを地図データ記憶部２１から読み出して地図画像を描画し、表示部２３に表示する。また、制御部２４は、放送受信装置１からの信号に応じて、車両位置検出部２２で検出した車両の現在位置の緯度・経度のデータを基に地図データから現在位置の市区町村名を取得し、現在位置の市区町村名を示す情報を放送受信装置１に送信する。
【００１８】
以下、本実施形態の放送受信装置において、受信履歴記憶部１８に放送受信履歴を記憶するときの動作について、図４に示すフローチャートを参照して説明する。
【００１９】
まず、ステップＳ１１において、制御部１１はユーザによる選局操作の有無を監視している。そして、選局操作が行われたと判定したとき（ＹＥＳのとき）、すなわちユーザが操作部１６の選局ボタン（シークアップボタン３３又はシークダウンボタン３４）を押したときはステップＳ１２に移行し、チューナ部１２を制御して受信周波数を変更する。ユーザがシークアップボタン３３を押したときは受信周波数を所定の周波数だけアップし、シークダウンボタン３４を押したときは受信周波数を所定の周波数だけダウンする。
【００２０】
その後、ステップＳ１３に移行し、制御部１１は放送局からの放送信号を受信したか否かを判定する。この判定は、チューナ部１２から出力される受信電界強度信号（Ｓメータ信号）の電圧に基づいて行われる。すなわち、受信電界強度信号の電圧が設定値より低いときは放送信号を受信していないと判定し、受信電界強度信号の電圧が設定値以上のときは放送信号を受信していると判定する。ステップＳ１３において、放送局からの放送信号を受信していないと判定したとき（ＮＯのとき）は、ステップＳ１２に戻り、チューナ部１２を制御して受信周波数を更に変更する。
【００２１】
一方、ステップＳ１３で放送局からの放送信号を受信したと判定したとき（ＹＥＳのとき）は、ステップＳ１４に移行して、受信した放送局の放送をスピーカー１４から出力し、ユーザに提供する。その後、ステップＳ１５に移行し、一定時間内（例えば５分以内）に次の選局操作が行われたか否かを判定する。一定時間内に次の選局操作が行われたときには受信した放送局がユーザの好みに合わないものとしてステップＳ１２に戻り、制御部１１はチューナ部１２を制御して受信周波数を変更する。
【００２２】
一方、ステップＳ１５において、一定時間内に次の選局操作が行われていないと判定したときには、現在聴いている放送局がユーザの好みに合うものとしてステップＳ１６に移行する。
【００２３】
ステップＳ１６において、制御部１１は車載用ナビゲーション装置２に現在位置の情報を要求する信号を送信する。この信号に応じて車載用ナビゲーション装置２から現在位置の市区町村を示す情報が放送受信装置１に送られてくると、ステップＳ１７に移行して、制御部１１は現在位置の情報を現在受信中の放送局を示す情報と関連付けて、受信履歴記憶部１８に記憶する。
【００２４】
このようにして、ユーザが一定時間以上放送を聴いていた放送局の情報と、そのときの位置（市区町村）を示す情報とが受信履歴記憶部１８に蓄積されていく。
【００２５】
図５は、受信履歴記憶部１８に記憶される受信履歴のデータ構造の一例を示す図である。この図５に示すように受信履歴記憶部１８には、その放送を受信したときの位置（市区町村）を示す地域コードと、ＦＭ放送及びＡＭ放送等の種別を示す放送種別コードと、受信した放送局の放送周波数とが記憶される。複数の放送局の受信履歴を記憶する場合は、これらの情報がテーブル（表）として記憶される。
【００２６】
図６は、本実施形態の放送受信装置において、車両の走行に伴い視聴中の放送局のサービスエリアから車両が外れたときの動作を示すフローチャートである。
【００２７】
まず、ステップＳ２１において、制御部１１は、現在受信中の放送信号の受信状態が良好か否かを監視する。受信状態が良好か否かの判定は、前述した受信電界強度信号の電圧に基づいて行われる。
【００２８】
ステップＳ２１で受信状態が良好でないと判定したとき（ＮＯのとき）は、ステップＳ２２に移行し、現在位置（市区町村）の情報を車載用ナビゲーション装置２から取得する。
【００２９】
その後、ステップＳ２３に移行し、制御部１１はサービスエリア記憶部１７からそれまで聴いていたラジオ放送局のサービスエリア情報を読み出し、車載用ナビゲーション装置２から取得した現在位置がそれまで聴いていたラジオ放送局のサービスエリア内か否かを判定する。サービスエリア内と判定したとき（ＹＥＳのとき）はステップＳ２１に戻り、サービスエリア外と判定したとき（ＮＯのとき）にはステップＳ２４に移行する。
【００３０】
ステップＳ２４では、制御部１１からの信号に基づき、表示部１５にサービスエリアから外れた旨のメッセージ、例えば「△△放送局のサービスエリアから外れました。」等のメッセージが表示される。
【００３１】
次に、ステップＳ２５に移行し、制御部１１は現在位置をサービスエリアとする放送局の受信履歴があるか否かを判定する。すなわち、制御部１１はサービスエリア記憶部１７を検索して現在位置をサービスエリアとする放送局を抽出する。そして、受信履歴記憶部１８にそれらの放送局の受信履歴が記憶されているか否かを調べる。受信履歴記憶部１８に受信履歴が存在するときにはステップＳ２６に移行し、現在位置をサービスエリアとする放送局の受信履歴をユーザに提示する。
【００３２】
図７（ａ）は、現在位置をサービスエリアとする放送局の受信履歴が存在するときに表示部１５に表示される画面の例を示す図である。この図７（ａ）に示す画面が表示されているときにユーザが操作部１６のロータリエンコーダ３５を回転すると、カーソル（図中の太線で示す）が上下方向に移動する。カーソルを所望の受信履歴の項目に移動して操作部１６に設けられた「決定」ボタン３６を押すと、制御部１１はチューナ部１２を制御してカーソル位置の受信履歴に示される放送局からの放送を受信する。
【００３３】
また、図７（ａ）の画面が表示されている状態でユーザがロータリーエンコーダ３５により「他の放送局を探す」の項目にカーソルを合わせてから「決定」ボタン３６を押すと、制御部１１はチューナ部１２を制御して、現在の受信周波数から所定の周波数づつ段階的に受信周波数をアップ又はダウンして、放送局からの放送信号を探索する。
【００３４】
一方、ステップＳ２５において、現在位置をサービスエリアとする放送局の受信履歴がないと判定したとき（ＮＯのとき）は、ステップＳ２７に移行して、例えば図７（ｂ）に示すように、現在位置をサービスエリアとする放送局の受信履歴がない旨を表示部１５に表示する。
【００３５】
図７（ｂ）においては、「放送局を探す」の項目にカーソルが位置しており、この状態で操作部１６に設けられた「決定」ボタン３６を押すと、制御部１１はチューナ部１２を制御して、現在の受信周波数から所定の周波数づつ段階的に受信周波数をアップ又はダウンして、放送局からの放送を探索する。
【００３６】
以上のように、本実施形態の放送受信装置においては、車両の移動に伴ってそれまで聴いていた放送局の放送エリアから外れると車両の現在位置で聴取可能な放送局のうち以前に聴いたことのある放送局を推奨放送局として画面に表示するので、ユーザは好みの放送局からの放送を簡単な操作で聴くことができて、従来に比して使い勝手が向上するという効果を奏する。
【００３７】
（第２の実施形態）
以下、本発明の第２の実施形態について説明する。
【００３８】
本実施形態が第１の実施形態と異なる点は、受信履歴記憶部１８に、放送局毎の視聴時間を記憶することにあり、その他の基本的な構成は第１の実施形態と同様であるので、本実施形態においても図１を参照して説明する。
【００３９】
図８は、本発明の第２の実施形態の放送受信装置の履歴記憶時の動作を示すフローチャートである。まず、ステップＳ３１において、制御部１１はユーザによる選局操作の有無を監視している。そして、選択操作が行われたと判定したとき（ＹＥＳのとき）、すなわちユーザが操作部１６の選局ボタン（シークアップボタン３３又はシークダウンボタン３４）を押したときはステップＳ３２に移行し、チューナ部１２を制御して受信周波数を変更する。
【００４０】
その後、ステップＳ３３に移行し、制御部１１はチューナ部１２から出力される受信電界強度信号に基づいて、放送局からの放送信号を受信したか否かを判定する。そして、放送局からの放送信号を受信できないと判定したとき（ＮＯのとき）はステップＳ３２に戻り、チューナ部１２を制御して受信周波数を更に変更する。
【００４１】
一方、ステップＳ３３で放送局からの放送信号を受信したと判定したとき（ＹＥＳのとき）はステップＳ３４に移行し、放送局の放送をスピーカー１４から出力してユーザに提供する。その後、ステップＳ３５に移行し、一定時間内（例えば５分以内）に次の選局動作が行われたか否かを判定する。一定時間内に次の選局動作が行われたとき（ＹＥＳのとき）にはステップＳ３２に戻り、チューナ部１２を制御して受信周波数を変更する。
【００４２】
一方、ステップＳ３５において、一定時間内に次の選局操作が行われていないと判定したとき（ＮＯのとき）には、現在視聴している放送局がユーザの好みに合うものとして、ステップＳ３６に移行する。
【００４３】
ステップＳ３６において、制御部１１は車載用ナビゲーション装置２に現在位置の情報を要求する信号を送信する。この信号に応じて車載用ナビゲーション装置２から現在位置の市区町村を示す情報が放送受信装置１に送られてくると、ステップＳ３７に移行して、制御部１１は現在位置の情報を、現在受信中の放送局を示す情報と関連付けて、受信履歴記憶部１８に記憶する。
【００４４】
その後、ステップＳ３８に移行し、ユーザによる選局操作（受信周波数の変更）を監視する。そして、ユーザによる選局操作が行われると、ステップＳ３９に移行し、制御部１１は受信履歴記憶部１８のそれまで聴いていた放送局の受信履歴に、視聴時間を書き込む。以前にも同じ放送局からの放送を受信しており、受信履歴記憶部１８に視聴時間が書き込まれている場合は、前回までの視聴時間に今回の視聴時間を加算して受信履歴記憶部１８に記憶する。
【００４５】
図９は、本実施形態において、受信履歴記憶部１８に記憶される受信履歴のデータ構成の例を示す図である。この図９に示すように、受信履歴記憶部１８には、その放送を受信したときの位置（市区町村）を示す地域コードと、ＦＭ放送及びＡＭ放送等の種別を示す放送種別コードと、受信した放送局の放送周波数と、当該放送局の放送を視聴していた時間の累計とが記憶される。
【００４６】
このように、本実施形態においては、放送局毎の視聴時間を記憶し、表示部１５に受信履歴のある放送局を表示する際に、視聴時間の長い順に表示する。これにより、ユーザの好みの放送局の選択がより容易になるという効果がある。
【００４７】
なお、受信履歴記憶部１８に記憶するデータは、図１０に示すように、ＸＭＬ（eXtensible Markup Language）により記述されていてもよい。例えば図９に示すように数字による地域コードを用いた場合には、地域コードと市区町村との対照表が必要になるが、図１０に示すようにＸＭＬによりデータを記述した場合には対照表が不要になり、データの検索や並び替えが容易になる。
【００４８】
また、第２の実施形態では、受信履歴記憶部１２に視聴時間の累計を記憶するものとしたが、視聴していたときの時刻を記憶して、時刻毎に受信履歴がわかるようにしてもよい。
【００４９】
更に、上記第１及び第２の実施形態は本発明をＦＭラジオ受信機に適用した例について説明したが、本発明をデジタルラジオ受信器及びＴＶ受信機に適用できることは勿論である。更にまた、本発明を、ラジオ放送及びＴＶ放送の両方の受信が可能なＡＶシステム等に適用してもよい。
【００５０】
更にまた、本発明は、ラジオ放送やＴＶ放送を受信可能な携帯電話やその他の携帯用電子機器に適用することもできる。この場合、現在位置を示す情報は、携帯電話の基地局から取得したり、携帯電話又はその他の携帯用電子機器に内蔵されたＧＰＳ受信機により検出することができる。また、現在位置で視聴可能な放送局の情報を、特定のサーバに通信接続して取得するようにしてもよい。
【図面の簡単な説明】
【００５１】
【図１】図１は、本発明の第１の実施形態に係る放送受信装置の構成を示すブロック図である。
【図２】図２は、第１の実施形態のラジオ受信機のフロントパネルの一例を示す図である。
【図３】図３は、第１の実施形態の放送受信装置に接続される車載用ナビゲーション装置を示すブロック図である。
【図４】図４は、第１の実施形態の放送受信装置において、受信履歴記憶部に放送受信履歴を記憶するときの動作を示すフローチャートである。
【図５】図５は、受信履歴記憶部に記憶される受信履歴のデータ構造の一例を示す図である。
【図６】図６は、第１の実施形態の放送受信装置において、車両の走行に伴い視聴中の放送局のサービスエリアから車両が外れたときの動作を示すフローチャートである。
【図７】図７（ａ）は現在位置をサービスエリアとする放送局の受信履歴が存在するときに表示部に表示される画面の例を示す図、図７（ｂ）は現在位置をサービスエリアとする放送局の受信履歴が存在しないときに表示部に表示される画面の例を示す図である。
【図８】図８は、本発明の第２の実施形態の放送受信装置の履歴記憶時の動作を示すフローチャートである。
【図９】図９は、第２の実施形態において、受信履歴記憶部に記憶される受信履歴のデータ構成の例を示す図である。
【図１０】図１０は、受信履歴記憶部に記憶するデータをＸＭＬ（eXtensible Markup Language）により記述した例を示す図である。
【符号の説明】
【００５２】
１…放送受信機、
２…車載用ナビゲーション装置、
１１…制御部、
１２…チューナ部、
１３…アンプ、
１４…スピーカー、
１５…表示部、
１６…操作部、
１７…サービスエリア記憶部、
１８…受信履歴記憶部、
２１…地図データ記憶部、
２２…車両位置検出部、
２３…表示部、
２４…ナビゲーション装置の制御部、
３３…シークアップボタン
３４…シークダウンボタン、
３５…ロータリーエンコーダ、
３６…決定ボタン。
【図１】
2005328451.tif 000003
【図２】
2005328451.tif 000004
【図３】
2005328451.tif 000005
【図４】
2005328451.tif 000006
【図５】
2005328451.tif 000007
【図６】
2005328451.tif 000008
【図７】
2005328451.tif 000009
【図８】
2005328451.tif 000010
【図９】
2005328451.tif 000011
【図１０】
2005328451.tif 000012